(57)【要約】【課題】従来の袋体では全く得ることができなかった楽しみを、子供等が得ることができるようにする。【解決手段】袋体１の一方側の表面及び反対側の表面をそれぞれ貼り絵用台紙又は福笑い用台紙として用いることができるような絵が、当該袋体１の前記一方側の表面及び前記他方側の表面にそれぞれ描かれる。前記一方側の表面に描かれた絵は、所定対象を一方側から見たような絵を含む。前記他方側の表面に描かれた絵は、前記所定対象を反対側から見たような絵を含む。この袋体１によれば、貼り絵の楽しみを子供等が得ることができる。【選択図】図１
2014213885.tif 000002
【特許請求の範囲】
【請求項１】
袋体であって、
当該袋体の表面を貼り絵用台紙又は福笑い用台紙として用いることができるような絵が、当該袋体の前記表面に描かれた、
ことを特徴とする袋体。
【請求項２】
袋体であって、
当該袋体の一方側の表面及び反対側の表面をそれぞれ貼り絵用台紙又は福笑い用台紙として用いることができるような絵が、当該袋体の前記一方側の表面及び前記他方側の表面にそれぞれ描かれ、
前記一方側の表面に描かれた絵は、所定対象を一方側から見たような絵を含み、
前記他方側の表面に描かれた絵は、前記所定対象を反対側から見たような絵を含む、
ことを特徴とする袋体。
【請求項３】
前記一方側の表面及び反対側の表面が側方を向くように自立可能に構成されたことを特徴とする請求項２記載の袋体。
【請求項４】
請求項１乃至３のいずれかに記載の袋体と、
貼り絵用パーツの絵又は福笑い用パーツの絵が描かれたシートと、
を備えたことを特徴とするセット。
【請求項５】
前記シートは、貼り絵用パーツの絵又は福笑い用パーツの絵が一方の面側に描かれたシール部であって他方の面側に粘着層を有するシール部と、前記粘着層を覆う剥離紙と、を有することを特徴とする請求項４記載のセット。
【請求項６】
前記粘着層は、前記袋体の表面に再剥離再貼付可能であることを特徴とする請求項５記載のセット。
【発明の詳細な説明】
【技術分野】
【０００１】
本発明は、袋体及びこれを用いたセットに関するものである。
【背景技術】
【０００２】
従来から、紙袋等の買物袋や包装用袋やごみ収集用袋などの種々の袋体が提供されている。例えば、下記特許文献１には、袋体の一例として、上部が開口しかつ開口部の縁に一対の把持ひもが取り付けられてなる手提げ袋が開示されている。
【先行技術文献】
【特許文献】
【０００３】
【特許文献１】特開平７−１４９３５４号公報
【発明の概要】
【発明が解決しようとする課題】
【０００４】
しかしながら、前記従来の袋体は、単に袋本来の機能を果たすのみであり、子供等は何ら楽しみを得ることはできなかった。
【０００５】
本発明は、このような事情に鑑みてなされたもので、従来の袋体では全く得ることができなかった楽しみを子供等が得ることができる袋体、及び、これを用いたセットを提供することを目的とする。
【課題を解決するための手段】
【０００６】
前記課題を解決するための手段として、以下の各態様を提示する。第１の態様による袋体は、当該袋体の表面を貼り絵用台紙又は福笑い用台紙として用いることができるような絵が、当該袋体の前記表面に描かれたものである。
【０００７】
前記第１の態様において、前記絵は、図形等を含むものとする。また、前記第１の態様において、袋体の表面に絵が描かれているとは、使用者が袋体の表面を見たときに当該絵が見える状態をいい、袋体のシートの表面に直接に絵が印刷等されている場合のみならず、袋体のシートの所定層上に絵が印刷等されていてその上に透明層が積層されているような場合なども含む。これらの点は、後述する各態様についても同様である。
【０００８】
前記第１の態様による袋体は、袋体本来の使用方法及び用途に加えて、貼り絵用台紙又は福笑い用台紙としても使用することができる。この袋体を貼り絵用台紙として使用して貼り絵を完成させる場合には、パーツの絵が描かれたパーツ片を、当該袋体の表面に貼り付ける。また、この袋体を福笑い用台紙として使用する場合には、使用者が目隠しをして、顔等のパーツの絵が描かれたパーツ片を、当該袋体の表面に貼り付けたり当該袋体の表面の上に置いたりし、福笑いを行う。したがって、本実施の形態によれば、従来の袋体では全く得ることができなかった貼り絵又は福笑いの楽しみを子供等が得ることができる。
【０００９】
第２の態様による袋体は、当該袋体の一方側の表面及び反対側の表面をそれぞれ貼り絵用台紙又は福笑い用台紙として用いることができるような絵が、当該袋体の前記一方側の表面及び前記他方側の表面にそれぞれ描かれ、前記一方側の表面に描かれた絵は、所定対象を一方側から見たような絵を含み、前記他方側の表面に描かれた絵は、前記所定対象を反対側から見たような絵を含むものである。
【００１０】
前記所定対象としては、人物、動物、各種のキャラクター、乗物、建物、風景、名所・旧跡などを挙げることができる。
【００１１】
この第２の態様によっても、前記第１の態様と同様に、従来の袋体では全く得ることができなかった貼り絵又は福笑いの楽しみを子供等が得ることができる。そして、この第２の態様では、袋体の一方側の表面に描かれた絵は、所定対象を一方側から見たような絵を含み、袋体の他方側の表面に描かれた絵は、前記所定対象を反対側から見たような絵を含むので、同一対象に関する一方側からの貼り絵又は福笑いと他方側からの貼り絵又は福笑いを楽しむことができる。したがって、従来の貼り絵や福笑いがいわば平面的な２次元の貼り絵・福笑いであるのに対し、この第２の態様によれば、いわば立体的な３次元の貼り絵又は福笑いを楽しむことができ、従来の貼り絵や福笑いによっては得られない斬新でより魅力的な楽しみを得ることができる。
【００１２】
第３の態様による袋体は、前記第２の態様において、前記一方側の表面及び反対側の表面が側方を向くように自立可能に構成されたものである。
【００１３】
この第３の態様による袋体は、前記一方側の表面及び反対側の表面が側方を向くように自立させることができるので、前述した立体的な３次元の貼り絵又は福笑いを楽しむ際に便利である。もっとも、前記第２の態様による袋体は、必ずしも、自立可能に構成する必要はない。この場合、必要に応じて、何らかの支持手段等で、前記一方側の表面及び反対側の表面が側方を向くように起立した状態となるように、当該袋体を支持すればよい。
【００１４】
第４の態様によるセットは、前記第１乃至第３のいずれかの態様による袋体と、貼り絵用パーツの絵又は福笑い用パーツの絵が描かれたシートと、を備えたものである。
【００１５】
この第４の態様によれば、前記第１乃至第３のいずれかの態様による袋体の他に、前記シートも備えているので、簡単に貼り絵又は福笑いを楽しむことができ、便利である。もっとも、前記第１乃至第３のいずれかの態様による袋体は、必ずしも、前記シートと組み合わせたセットとして供給する必要はない。例えば、子供等の使用者が、自分で工夫して、画用紙や白紙のシールに、貼り絵用パーツの絵又は福笑い用パーツの絵を描き、ハサミでそのパーツ片を切り取り、そのパーツ片を糊やシールの粘着層で、袋体の表面に貼り付けるようにしてもよい。
【００１６】
第５の態様によるセットは、前記第４の態様において、前記シートは、貼り絵用パーツの絵又は福笑い用パーツの絵が一方の面側に描かれたシール部であって他方の面側に粘着層を有するシール部と、前記粘着層を覆う剥離紙と、を有するものである。
【００１７】
前記第１乃至第３の態様による袋体では、パーツ片を配置すべき袋体の表面を起立させて使用する場合には、パーツ片を袋体の表面に貼り付ける必要がある。前記第５の態様によれば、糊等を用いることなく、パーツ片を袋体に容易に貼り付けることができるので、便利である。
【００１８】
第６の態様によるセットは、前記第５の態様において、前記粘着層は、前記袋体の表面に再剥離再貼付可能であるものである。
【００１９】
この第６の態様によれば、パーツ片を袋体の表面に再剥離再貼付することができるので、パーツ片の貼付位置を容易に変えることができ、その位置の変更によってより楽しみが増大する。
【発明の効果】
【００２０】
本発明によれば、従来の袋体では全く得ることができなかった楽しみを子供等が得ることができる袋体、及び、これを用いたセットを提供することができる。
【図面の簡単な説明】
【００２１】
【図１】本発明の一実施の形態によるセットを構成する袋体を斜め前方から見た斜視図である。
【図２】図１に示す袋体を斜め後方から見た斜視図である。
【図３】本発明の前記実施の形態によるセットを構成するシートを示す平面図である。
【図４】図３のシートを示す概略断面図である。
【図５】図５は、図１に示す袋体の使用状態を示す斜視図であり、その袋体を斜め前方から見た斜視図である。
【発明を実施するための形態】
【００２２】
以下、本発明による袋体及びこれを用いたセットについて、図面を参照して説明する。
【００２３】
図１は、本発明の一実施の形態によるセットを構成する袋体１を斜め前方から見た斜視図である。図２は、図１に示す袋体１を斜め後方から見た斜視図である。図１及び図２は、写真によるイメージに符号を付したものであり、実際には彩色が施されているが、グレースケールで表示している。この点は、後述する図３及び図５についても同様である。
【００２４】
本実施の形態では、袋体１は、上端に開口部１ａを有する角底袋として構成され、これにより、図１及び図２に示すように自立可能に構成されている。もっとも、本発明では、袋体１は、角底袋の形態に限らず、他の自立可能な形態を有していてもよいし、その他の任意の形態を有していてもよい。
【００２５】
本実施の形態では、袋体１は紙で構成されている。もっとも、本発明では、袋体１を構成するシートの材質は何ら限定されるものではない。例えば、その材質として、通常の紙の他、合成紙、耐水紙、ラミネート加工した紙、フィルム加工した紙、プラスチックシート、任意のラミネートフィルム、布、化学繊維、不織布、皮革、織物、編物などを用いることができる。
【００２６】
本実施の形態では、図１に示すように、袋体１の一方側（ここでは、前方側）の表面を貼り絵用台紙として用いることができるような絵が、袋体１の前方側の表面に印刷等により描かれている。また、図２に示すように、袋体１の反対側（ここでは、後方側）の表面を貼り絵用台紙として用いることができるような絵が、袋体１の後方側の表面に印刷等により描かれている。
【００２７】
そして、本実施の形態では、図１に示すように、袋体１の前方側の表面に描かれた絵は、所定対象物としてのライオンを一方側（ここでは、前方側）から見たような絵を含んでいる。本実施の形態では、袋体１の前方側の表面には、のっぺらぼうの顔のライオン等が描かれており、これにより、袋体１の前方側の表面が貼り絵用台紙として使用することができるようになっている。また、本実施の形態では、図２に示すように、袋体１の後方側の表面に描かれた絵は、前記所定対象物としてのライオンを他方側（ここでは、後方側）から見たような絵を含んでいる。本実施の形態では、袋体１の後方側の表面には、尻尾のないライオンの後姿等が描かれており、これにより、袋体１の後面が貼り絵用台紙として使用することができるようになっている。
【００２８】
本発明では、前記所定対象は、ライオンに限らず、他の動物、人物、各種のキャラクター、乗物、建物、風景、名所・旧跡などでもよい。
【００２９】
図３は、袋体１と共に本実施の形態によるセットを構成するシート２を示す平面図である。図４は、図３のシート２を示す概略断面図である。このシート２は、袋体１を貼り絵用台紙として使用する場合に袋体１と一緒に使用されるものである。シート２には、貼り絵用パーツの絵として、ライオンの顔のパーツの絵やライオンの尻尾の絵などが描かれており、シート２は、貼り絵用パーツの絵が描かれたパーツ片２ａを含んでいる。なお、図面には示していないが、シート２には、例えば、ライオンの口の絵であっても、表情等に応じて複数種類の絵（例えば、開けた口の絵、閉じた口の絵）を描いておいてもよく、使用者にいずれの絵を使用するか選択させるようにしてもよい。
【００３０】
本実施の形態では、シート２は、貼り絵用パーツの絵が一方の面側（図４中の上面側）に描かれたシール部３であって他方の面側（図４中の下面側）に粘着層４を有するシール部３と、粘着層４を覆う剥離紙６と、を備えている。本実施の形態では、シール部３は、上面に貼り絵用パーツの絵が印刷等により描かれた紙やフィルム等の基材シート５と、基材シート５の下面に形成された粘着層４とから構成されている。各パーツ片２ａは、シート部３の一部となっている。シール部３において各パーツ片２ａの周囲には、切り込み７（図４参照。図３では図示せず。）が形成されており、パーツ片２ａを容易に他から分離して剥離することができるようになっている。粘着層４は、袋体１の表面に対して再剥離再貼付可能であることが好ましい。
【００３１】
したがって、本実施の形態では、各パーツ片２ａを剥離紙６から剥がして、粘着層４により袋体１の表面に貼り付けることができる。
【００３２】
なお、本発明では、シート２は、前述したようなシールを利用したものに限らず、単に、紙やフィルム等に貼り絵用パーツの絵を描いたものでもよい。この場合、使用者は、このシート２からハサミでパーツ片２ａを切り取り、そのパーツ片２ａを糊で袋体１に貼り付ければよい。
【００３３】
図５は、袋体１の使用状態（袋体１を貼り絵用台紙として使用してその貼り絵を完成させた状態）を示す斜視図であり、その袋体１を斜め前方から見た斜視図である。図５では、図３に示すシート２のうちのライオンの顔のパーツのパーツ片２ａが、袋体１の前方側の表面のライオンの顔に貼り付けられている。図面には示していないが、袋体１の後方側の表面の貼り絵を完成させた状態では、図３に示すシート２のうちのライオンの尻尾のパーツ片２ａが、袋体１の後方側の表面のライオンの尻に貼り付けられている。
【００３４】
本実施の形態による袋体１は、袋体本来の使用方法及び用途に加えて、貼り絵用台紙としても使用することができる。この袋体１を貼り絵用台紙として使用して貼り絵を完成させる場合には、パーツの絵が描かれたパーツ片２ａを、当該袋体１の表面に貼り付ける。したがって、本実施の形態によれば、従来の袋体１では全く得ることができなかった貼り絵の楽しみを子供等が得ることができる。
【００３５】
そして、本実施の形態では、袋体１の前方側の表面に描かれた絵は、ライオンを前方側から見たような絵を含み、袋体１の後方側の表面に描かれた絵は、そのライオンを後方側から見たような絵を含むので、同一対象（ここでは、ライオン）に関する前方側からの貼り絵と後方側からの貼り絵を楽しむことができる。したがって、従来の貼り絵がいわば平面的な２次元の貼り絵であるのに対し、本実施の形態によれば、いわば立体的な３次元の貼り絵を楽しむことができ、従来の貼り絵によっては得られない斬新でより魅力的な楽しみを得ることができる。
【００３６】
また、本実施の形態によるセットは、袋体１の他にシート２も備えているので、簡単に貼り絵を楽しむことができ、便利である。もっとも、本実施の形態では、袋体１は、必ずしも、前記シート２と組み合わせたセットとして供給する必要はない。例えば、子供等の使用者が、自分で工夫して、画用紙や白紙のシールに、貼り絵用パーツの絵を描き、ハサミでそのパーツ片を切り取り、そのパーツ片を糊やシールの粘着層で、袋体１の表面に貼り付けるようにしてもよい。
【００３７】
また、本実施の形態では、図１及び図２に示すように、パーツ片２ａを配置すべき袋体１の表面を起立させて貼り絵用台紙として使用する場合には、パーツ片２ａを袋体１の表面に貼り付ける必要がある。本実施の形態では、シート２が前述したように構成され、パーツ片２ａがシール部３で構成されているので、糊等を用いることなく、パーツ片２ａを袋体１に容易に貼り付けることができるので、便利である。さらに、本実施の形態では、粘着層４が袋体１の表面に再剥離再貼付可能であるため、パーツ片２ａを袋体１の表面に再剥離再貼付することができるので、パーツ片２ａの貼付位置を容易に変えることができ、その位置の変更によってより楽しみが増大する。
【００３８】
以上、本発明の一実施の形態とその変形例について説明したが、本発明はこれらに限定されるものではない。
【００３９】
例えば、本発明では、袋体１の後方側の表面には、その表面を貼り絵用台紙として用いることができるような絵を描かず、袋体１の前方側の表面のみ、その表面を貼り絵用台紙として用いることができるような絵を描いてもよい。
【００４０】
また、本発明では、袋体１の前方側の表面及び後方側の表面にそれらの表面を貼り絵用台紙として用いることができるような絵を描く場合であっても、前方側の表面及び後方側の表面で全く関連性のない絵を描き、袋体１の前方側の表面及び後方側の表面をそれぞれ全く関連性のない２種類の貼り絵を行うことができるようにしてもよい。
【００４１】
さらに、本発明では、袋体１の表面に、貼り絵用台紙として用いることができるような絵に代えて、福笑い用台紙として用いることができるような絵（顔の輪郭などの絵）を描き、シート２に、福笑い用パーツの絵（顔の各部などの絵）を描き、貼り絵に代えて福笑いを楽しめるようにしてもよい。この場合、袋体１を福笑い用台紙として使用して福笑いを行う場合には、例えば、使用者が目隠しをして、顔の各部の絵などが描かれたパーツ片２ａを、袋体１の表面に貼り付け、福笑いを行えばよい。
【符号の説明】
【００４２】
１  袋体
２  シート
３  シート部
４  粘着層
６  剥離紙
【図４】
2014213885.tif 000003
【図１】
2014213885.tif 000004
【図２】
2014213885.tif 000005
【図３】
2014213885.tif 000006
【図５】
2014213885.tif 000007